(57)【要約】【課題】従来に比べ、複数の写真を、アルバムのページにより見やすく貼り付けられるようにするとともに、写真とその撮影場所との関連付けをより分かりやすく表示する電子写真アルバム作成支援装置を提供する。【解決手段】撮影場所の経緯度情報を付属情報とする複数の電子写真から、同一ページに貼り付ける複数の電子写真を選択する手段２と、複数の電子写真を表す情報から経緯度情報を読み出し、選択された電子写真を網羅する経緯度範囲を算出する手段３と、複数の地名とその経緯度情報から構成されるデータベースを有し、経緯度範囲に含まれる各地名間の位置関係に基づいて地名間の位置関係図を生成する手段４と、最寄りの地名の表示位置の周りに写真を貼り付ける手段５と、地名間の相対位置関係が満足されるようにページ内の地名の表示位置を調整する手段６とを備えている。【選択図】            図１
2005085124.tif 000002
【特許請求の範囲】
【請求項１】
撮影場所の経緯度情報を付属情報とする電子写真を表す情報を読み取る読取手段と、
読取手段で読み取られた複数の電子写真から、同一ページに貼り付ける複数の電子写真を選択する選択手段と、
選択手段で選択された複数の電子写真を表す情報から経緯度情報を読み出し、選択された電子写真を網羅する経緯度範囲を算出する範囲算出手段と、
複数の地名とその経緯度情報から構成されるデータベースを有し、範囲算出手段で算出された経緯度範囲を入力し、その経緯度範囲に含まれる各地名を、データベースから得た各地名間の位置関係に基づく表示位置に表示する地名間の位置関係図を生成する地名情報処理手段と、
地名情報処理手段で生成された地名間の位置関係図に基づいて地名表示を含む電子写真貼り付け用のページを定義し、そのページに貼り付ける複数の電子写真を、各電子写真の撮影場所に対して最寄りの地名の表示位置の周りに貼り付ける写真貼付手段と、
地名情報処理手段で生成された地名間の位置関係図から、それに含まれる地名間の相対位置関係を求め、求めた地名間の相対位置関係が満足されるように、ページ内の地名の表示位置を調整する表示位置調整手段と
を具備することを特徴とする電子写真アルバム作成支援装置。
【請求項２】
前記表示位置調整手段が、各地名の位置を基準として地名毎に設定される所定の座標系における他の地名の座標位置を示すテーブルを地名間の相対位置関係と定義し、この相対位置関係を参照しながら、地名の表示位置を調整する
ことを特徴とする請求項１記載の電子写真アルバム作成支援装置。
【請求項３】
前記表示位置調整手段が、各地名の位置を原点とした座標系における他の地名を第１象限から第４象限までの象限別に分類したテーブルを地名間の相対位置関係と定義し、この相対位置関係を参照しながら、前記写真貼付手段によって貼り付けられた写真同士が重ならないように、地名の表示位置を調整する
ことを特徴とする請求項１記載の電子写真アルバム作成支援装置。
【請求項４】
前記表示位置調整手段による調整で写真同士の重なりを無くすことができない場合に電子写真を縮小することを特徴とする請求項１〜３のいずれか１項記載の電子写真アルバム作成支援装置。
【請求項５】
所定の表示装置又は出力装置に前記写真が貼り付けられたページを表示又は出力させるための手段を、さらに具備することを特徴とする請求項１〜４のいずれか１項記載の電子写真アルバム作成支援装置。
【請求項６】
前記ページには、地名に換えて、撮影場所に最寄りのランドマーク名又はランドマークアイコンを表示することを特徴とする請求項１〜５のいずれか１項記載の電子写真アルバム作成支援装置。
【請求項７】
撮影場所の経緯度情報を付属情報とする電子写真を表す情報を読み取る読取過程と、
読取過程で読み取られた複数の電子写真から、同一ページに貼り付ける複数の電子写真を選択する選択過程と、
選択過程で選択された複数の電子写真を表す情報から経緯度情報を読み出し、選択された電子写真を網羅する経緯度範囲を算出する範囲算出過程と、
複数の地名とその経緯度情報から構成されるデータベースを用い、範囲算出過程で算出された経緯度範囲を入力し、その経緯度範囲に含まれる各地名を、データベースから得た各地名間の位置関係に基づく表示位置に表示する地名間の位置関係図を生成する地名情報処理過程と、
地名情報処理過程で生成された地名間の位置関係図に基づいて地名表示を含む電子写真貼り付け用のページを定義し、そのページに貼り付ける複数の電子写真を、各電子写真の撮影場所に対して最寄りの地名の表示位置の周りに貼り付ける写真貼付過程と、
地名情報処理過程で生成された地名間の位置関係図から、それに含まれる地名間の相対位置関係を求め、求めた地名間の相対位置関係が満足されるように、ページ内の地名の表示位置を調整する表示位置調整過程と
を含むことを特徴とする電子写真アルバム作成支援方法。
【請求項８】
撮影場所の経緯度情報を付属情報とする電子写真を表す情報を読み取る読取過程と、
読取過程で読み取られた複数の電子写真から、同一ページに貼り付ける複数の電子写真を選択する選択過程と、
選択過程で選択された複数の電子写真を表す情報から経緯度情報を読み出し、選択された電子写真を網羅する経緯度範囲を算出する範囲算出過程と、
複数の地名とその経緯度情報から構成されるデータベースを用い、範囲算出過程で算出された経緯度範囲を入力し、その経緯度範囲に含まれる各地名を、データベースから得た各地名間の位置関係に基づく表示位置に表示する地名間の位置関係図を生成する地名情報処理過程と、
地名情報処理過程で生成された地名間の位置関係図に基づいて地名表示を含む電子写真貼り付け用のページを定義し、そのページに貼り付ける複数の電子写真を、各電子写真の撮影場所に対して最寄りの地名の表示位置の周りに貼り付ける写真貼付過程と、
地名情報処理過程で生成された地名間の位置関係図から、それに含まれる地名間の相対位置関係を求め、求めた地名間の相対位置関係が満足されるように、ページ内の地名の表示位置を調整する表示位置調整過程と
をコンピュータによって実行するための記述を含むことを特徴とする電子写真アルバム作成支援プログラム。
【発明の詳細な説明】
【技術分野】
【０００１】
本発明は、複数の電子写真を整理してまとめる際に用いて好適な電子写真アルバム作成支援装置及び作成支援方法に関する。
【背景技術】
【０００２】
旅行の記念写真をデジタルカメラやカメラ機能付きの携帯電話等で撮影し、これらの記念写真を旅行アルバムとしてまとめあげる作業がパーソナルコンピュータ等を用いて一般的に行われている。しかし、旅行からの時間が長く経ってしまうと、その写真を何処で取ったかを忘れてしまうことがよくある。そこで、写真とその撮影場所を関連付けて旅行アルバムに記録することで、この問題の解決を図った従来の技術がある。
【０００３】
そのような従来の技術の一つとして、特許文献１に提案された方法がある。この提案では、まず、アルバムの各ページに地図を載せる。そして、撮影場所に最寄りの地名の近傍に写真のサムネールを貼り付けることで、写真と撮影場所とを関連づける。この関連付けによって撮影場所を思い出しやすくする効果がある。
【特許文献１】特開２００２−３２９１９１号公報（第５頁、第４図）
【発明の開示】
【発明が解決しようとする課題】
【０００４】
しかし、特許文献１に記載のような方法では、サムネールの上にほかのサムネールが重なるように貼り付けられてしまうので、どの写真がどこで撮影したものなのかが分かりにくいという問題がある。また、そのものを見るには、サムネールを選択しなければならないという不便さがある。
【０００５】
また、写真を貼り付ける地図上に道路や境界線などの写真の撮影場所との関係が浅い情報が含まれている場合がある。そのため、写真の撮影場所を示す地名等の情報を把握し難くなる場合があるという課題もある。
【０００６】
本発明は、上記の事情に鑑みてなされたものであり、従来と比べ、複数の写真を、アルバムを構成するページにより見やすく貼り付けられるようにするとともに、写真とその撮影場所との関連付けをより分かりやすく表示できるようにする電子写真アルバム作成支援装置及び方法を提供することを目的とする。
【課題を解決するための手段】
【０００７】
本発明は、撮影場所の経緯度情報を付属情報とする電子写真を表す情報を読み取る読取手段と、読取手段で読み取られた複数の電子写真から、同一ページに貼り付ける複数の電子写真を選択する選択手段と、選択手段で選択された複数の電子写真を表す情報から経緯度情報を読み出し、選択された電子写真を網羅する経緯度範囲を算出する範囲算出手段と、複数の地名とその経緯度情報から構成されるデータベースを有し、範囲算出手段で算出された経緯度範囲を入力し、その経緯度範囲に含まれる各地名を、データベースから得た各地名間の位置関係に基づく表示位置に表示する地名間の位置関係図を生成する地名情報処理手段と、地名情報処理手段で生成された地名間の位置関係図に基づいて地名表示を含む電子写真貼り付け用のページを定義し、そのページに貼り付ける複数の電子写真を、各電子写真の撮影場所に対して最寄りの地名の表示位置の周りに貼り付ける写真貼付手段と、地名情報処理手段で生成された地名間の位置関係図から、それに含まれる地名間の相対位置関係を求め、求めた地名間の相対位置関係が満足されるように、ページ内の地名の表示位置を調整する表示位置調整手段とを具備することを特徴とする。これによれば、写真と撮影現場に係る情報とを写真アルバムに記録するにあたって、写真がその撮影場所の最寄りの地名のまわりに貼り付けられ、その際、地名間の相対位置関係を保持したまま各地名が表示される。例えば、地名表示にあたって、西にある地名は、東にある地名の左側に表示されるという（例：大阪は東京の左に表示する）ように、地名間の相対位置関係を保持した表示が行われる。よって、人間の習慣により適合する（違和感なく見られる）表示形態を得ることができる。これによって、従来例と比べ、写真とその撮影場所との関連付けが分かりやすく、あわせて、撮影場所間のおよその相対位置関係も自然に記録・表示されるという効果が得られる。
【０００８】
本発明はまた、前記表示位置調整手段が、各地名の位置を基準として地名毎に設定される所定の座標系における他の地名の座標位置を示すテーブルを地名間の相対位置関係と定義し、この相対位置関係を参照しながら、地名の表示位置を調整することを特徴とする。例えば、地名間の相対位置関係を、おのおのの地名の位置を原点とした座標系におけるほかの地名を象限別に分類したテーブルにて定義することで、地名間の相対位置関係を所望の座標系において保持したまま地名の表示位置を調整することができる。
【０００９】
本発明はまた、前記表示位置調整手段が、各地名の位置を原点とした座標系における他の地名を第１象限から第４象限までの象限別に分類したテーブルを地名間の相対位置関係と定義し、この相対位置関係を参照しながら、前記写真貼付手段によって貼り付けられた写真同士が重ならないように、地名の表示位置を調整することを特徴とする。これによれば、地名間の相対位置関係が４つの象限を単位として保持され、写真同士の重なりが調整されるので、より写真や、撮影場所を示す地名情報をみやすくすることができる。
【００１０】
本発明はまた、前記表示位置調整手段による調整で写真同士の重なりを無くすことができない場合に電子写真を縮小することを特徴とする。これによれば、１ページに貼り付けられる写真の枚数を増加させることができる。
【００１１】
本発明はまた、所定の表示装置又は出力装置に前記写真が貼り付けられたページを表示又は出力させるための手段を、さらに具備することを特徴とする。これによれば、所望の装置への出力を自動的に行うことが可能となる。
【００１２】
本発明はまた、前記ページには、地名に換えて、撮影場所に最寄りのランドマーク名又はランドマークアイコンを表示することを特徴とする。これによれば、ユーザーの表示形態に係る選択肢を増やすことが可能となる。
【００１３】
本発明はまた、撮影場所の経緯度情報を付属情報とする電子写真を表す情報を読み取る読取過程と、読取過程で読み取られた複数の電子写真から、同一ページに貼り付ける複数の電子写真を選択する選択過程と、選択過程で選択された複数の電子写真を表す情報から経緯度情報を読み出し、選択された電子写真を網羅する経緯度範囲を算出する範囲算出過程と、複数の地名とその経緯度情報から構成されるデータベースを用い、範囲算出過程で算出された経緯度範囲を入力し、その経緯度範囲に含まれる各地名を、データベースから得た各地名間の位置関係に基づく表示位置に表示する地名間の位置関係図を生成する地名情報処理過程と、地名情報処理過程で生成された地名間の位置関係図に基づいて地名表示を含む電子写真貼り付け用のページを定義し、そのページに貼り付ける複数の電子写真を、各電子写真の撮影場所に対して最寄りの地名の表示位置の周りに貼り付ける写真貼付過程と、地名情報処理過程で生成された地名間の位置関係図から、それに含まれる地名間の相対位置関係を求め、求めた地名間の相対位置関係が満足されるように、ページ内の地名の表示位置を調整する表示位置調整過程とを含むことを特徴とする。
【００１４】
本発明はまた、撮影場所の経緯度情報を付属情報とする電子写真を表す情報を読み取る読取過程と、読取過程で読み取られた複数の電子写真から、同一ページに貼り付ける複数の電子写真を選択する選択過程と、選択過程で選択された複数の電子写真を表す情報から経緯度情報を読み出し、選択された電子写真を網羅する経緯度範囲を算出する範囲算出過程と、複数の地名とその経緯度情報から構成されるデータベースを用い、範囲算出過程で算出された経緯度範囲を入力し、その経緯度範囲に含まれる各地名を、データベースから得た各地名間の位置関係に基づく表示位置に表示する地名間の位置関係図を生成する地名情報処理過程と、地名情報処理過程で生成された地名間の位置関係図に基づいて地名表示を含む電子写真貼り付け用のページを定義し、そのページに貼り付ける複数の電子写真を、各電子写真の撮影場所に対して最寄りの地名の表示位置の周りに貼り付ける写真貼付過程と、地名情報処理過程で生成された地名間の位置関係図から、それに含まれる地名間の相対位置関係を求め、求めた地名間の相対位置関係が満足されるように、ページ内の地名の表示位置を調整する表示位置調整過程とをコンピュータによって実行するための記述を含むことを特徴とする。
【００１５】
なおより本発明の特徴についてより具体的に説明すると、本発明は、旅行写真等の写真とその撮影場所との関連付けが、写真とその撮影場所の地名との関連づけであることに注目したものであるということができる。もし、地図そのものを使ってレイアウトすると、写真の撮影場所のほかに、道路や境界線などの写真と無関係の情報もアルバムに載せてしまう場合が発生する。したがって、地図から道路や境界線など写真の撮影場所と無関係の情報を省いた地名間の位置関係図を作成し、それをもとにアルバムのレイアウティングを行うようにしたものである。
【発明を実施するための最良の形態】
【００１６】
以下、本発明を実施するための最良の形態について図面を参照して説明する。まず、図１を参照して、本実施の形態の電子写真アルバム作成支援装置の構成例について説明する。本実施の形態は、パーソナルコンピュータ等のコンピュータおよびその周辺装置と、そのコンピュータで実行されるプログラムとを用いて実現される。そのコンピュータ上で実行されるプログラムによって実現される機能や、周辺装置を利用して実現される機能が、機能毎にブロックに分けて図１に示されている。周辺装置としては、電子写真撮影用のデジタルカメラやカメラ機能付きの携帯電話であって、写真撮影時の位置情報（経度緯度で表された位置情報；以下経緯度情報とする）が電子写真情報に付属情報として組み合わせられるものを含んでいるものとする。
【００１７】
図１において、経緯度を写真に記録する手段１は、ＧＰＳ機能（Global Positioning System機能）が追加可能なデジタルカメラや、ＧＰＳ機能およびカメラ機能付きの携帯電話によって実現することができる。本実施の形態では、それを使って旅行写真を撮影したとする。
その際、撮影場所の経緯度情報が付属情報として電子写真を表す情報とともに所定の記録媒体に記録されていることとする。
【００１８】
経緯度を写真に記録する手段１に記録されている電子写真情報（経緯度情報を含む電子写真情報）は、本処理を行うコンピュータに内蔵あるいは周辺装置として接続された入出力装置を介して、コンピュータ内に読み取られる。すなわち、経緯度を写真に記録する手段１に記録されている電子写真情報は、撮影後に、経緯度情報と共にコンピュータに転送されて、旅行アルバムを作成する際に用いられる。
【００１９】
同一ページに貼り付ける写真を選択する手段２は、コンピュータ内に読み取られた複数の電子写真から、アルバムを構成する１または複数のページのうちの同一ページに貼り付ける複数の電子写真を選択する。同一ページに貼り付ける写真を選択する手段２は、アルバムの各ページに貼り付ける写真を作成者によって選択させることで処理を行う。例えば、図２のように、写真のサムネール一覧が表示された画面７ａにて、作成者が同一ページに貼り付ける写真をマウスで指定する（図２の点線７１で囲んだ写真サムネール７２〜７４が指定されたとする）。以下、図２に示す東京都内で観光して、Ｕ動物園、赤坂Ｐホテルおよび六本木Ｈの三箇所（３つの地名）で撮影した計１１枚の写真を同一ページに貼り付けることを、一例として、処理内容を説明する。なお、１１枚の写真には、Ｕ動物園で撮影した上野１〜上野４と表記した４枚の写真７２、赤坂Ｐホテルで撮影した赤坂１〜赤坂４と表記した４枚の写真７３、および六本木Ｈで撮影した六本木１〜六本木３と表記した３枚の写真７４が含まれているものとする。
【００２０】
図１の経緯度範囲を算出する手段３は、同一ページに貼り付ける写真を選択する手段２で指定された複数の電子写真を表す情報から経緯度情報を読み出し、選択された電子写真を網羅する経緯度範囲を算出する。図３は、経緯度範囲を算出する手段３による経緯度範囲算出処理のフローチャートを示している。
【００２１】
図３に示すように、経緯度範囲を算出する手段３は、まず最初の経緯度情報を入力し、それを経緯度範囲の初期値に設定する（ステップＳ３０１）。次に、全経緯度情報に対する処理が終わったか否かを判定し（ステップＳ３０２）、終わっていない場合には次の経緯度情報を入力する（ステップＳ３０３）。次に、経緯度が今の経緯度範囲内にあるか否かを判定する（ステップＳ３０４）。経緯度範囲内にある場合は（ステップＳ３０４で判定結果が「はい」）、ステップＳ３０２へ戻り、そうでない場合は（ステップＳ３０４で判定結果が「いいえ」）、経緯度範囲を更新する（ステップＳ３０５）。これらの処理を同一ページに貼り付けるすべて写真の経緯度情報に対して実行し、経緯度情報に対する処理が終わった場合（ステップＳ３０２で判定結果が「はい」）、経緯度範囲を出力して（ステップＳ３０６）、処理が終了する。
【００２２】
上記のようにして、経緯度範囲を算出する手段３によって算出された経緯度範囲の情報（例えば東西南北の緯度および経度の最大および最小値を示す情報）は、地名情報処理手段４へ入力される。経緯度範囲を算出する手段３はまた、同一ページに貼り付ける電子写真を表す情報を、写真をページに貼り付ける手段５と地名の表示位置調整手段６へ出力する。
【００２３】
地名情報処理手段４は、複数の地名とその経緯度情報から構成されるデータベース（４ａ）を有し、経緯度範囲を算出する手段３で算出された経緯度範囲を入力し、その経緯度範囲に含まれる各地名を、データベースから得た各地名間の位置関係に基づく表示位置に表示する「地名と地名間の位置関係図」を生成し出力する。図４にそのデータベースのデータ構成を示している。
【００２４】
図４に示すようにデータベース４ａには、地名と、各地名の敷地の東西南北の最端部の緯度または経度情報が各地名に対応付けられて記録されている。例えばＵ動物園については、北端の緯度（北緯３５度４３分ｘｘ．ｘ秒）、西端の経度（東経１３９度４６分ｘｘ．ｘ秒）、南端の緯度（３５度４３分ｘｘ．ｘ秒」、東端の経度（東経１３９度４６分ｘｘ．ｘ秒）が対応付けられて記録されている。この例では、赤坂Ｐホテルの経緯度情報や六本木Ｈの経緯度情報が図４に示すように記録されているものとしている。
【００２５】
次に、地名情報処理手段４が、上記のデータベース４ａから出力されたデータをもとに作成した「地名と地名間の位置関係図」の例を図５を参照して説明する。図５に示す例は、「地名と地名間の位置関係図」７ｂが、図２を参照して説明した１１枚の写真７２、７３、７４の経緯度情報を網羅する範囲の経緯度に対応する領域を有する図として構成されている。さらに、その図には、図４のデータベース４ａに含まれるこの領域に位置する３つの地名「Ｕ動物園」７７、「六本木Ｈ」７６、および「赤坂Ｐホテル」７５の表示が、各地名の経緯度に対応した表示位置でなされている。この場合、「地名と地名間の位置関係図」７ｂは上が北、下が南、右が東、そして左が西の各方位に対応している。したがって、３つの地名うち最も北に位置する地名「Ｕ動物園」７７が最も上に、最も南に位置する地名「赤坂Ｐホテル」７５が最も下に、最も東に位置する地名「Ｕ動物園」７７が最も右に、最も西に位置する地名「赤坂Ｐホテル」７５が最も左に位置するように、表示されている。地名情報処理手段４が作成した図５に示す「地名と地名間の位置関係図」７ｂは、写真をページに貼り付ける手段５に対して出力される。
【００２６】
写真をページに貼り付ける手段５は、地名情報処理手段４で生成された「地名と地名間の位置関係図」に基づいて地名表示を含む電子写真貼り付け用のページを定義し、そのページに貼り付ける複数の電子写真を、各電子写真の撮影場所に対して最寄りの地名の表示位置の周りに貼り付ける処理を行う。すなわち、「地名と地名間の位置関係図」をアルバムのある１ページのレイアウトの元として、各写真をそのページに貼り付ける処理を行う。図６に写真を貼り付けたページの一例を示した。
【００２７】
写真をページに貼り付ける手段５は、写真を貼り付ける際、まず、写真の経緯度情報が示す経緯度と、「地名と地名間の位置関係図」に含まれる地名の経緯度とから、写真の撮影位置と各地名の位置との距離を算出して、写真の撮影場所に最寄りの地名を探し出す。次に、この最寄りの地名の周りに写真を貼り付けていく（例えば時計順に貼り付けていく）。そして、当該ページに貼り付ける写真をすべて貼り付け終わるまでこの処理を繰り返す。図６に示すページ７ｃは、最初（一回目）の貼り付けが終わった時のページを示している。ページ７ｃは、図５の「地名と地名間の位置関係図」７ｂに基づいて定義されたもので、３つの地名「Ｕ動物園」７７、「六本木Ｈ」７６、および「赤坂Ｐホテル」７５の表示が、各地名の経緯度に対応した表示位置においてなされている。そして、写真７２、写真７３、および写真７４が、それぞれ地名「Ｕ動物園」７７、「赤坂Ｐホテル」７５および「六本木Ｈ」７６の周辺に貼り付けられている。この場合、写真７３の一部の上に写真７４の一部が重なって貼り付けられた状態となっている。
【００２８】
次に地名の表示位置の調整手段６は、地名情報処理手段４で生成された「地名と地名間の位置関係図」から、それに含まれる地名間の相対位置関係を求め、求めた地名間の相対位置関係が満足されるように、ページ内の地名の表示位置を調整する処理を行う。まず地名の表示位置の調整手段６は、地名情報処理手段４で生成された図５に示すような「地名と地名間の位置関係図」７ｂの作成時のデータを用いて、図１に示す地名間相対位置関係を表すテーブル６ａを生成する。地名間相対位置関係を表すテーブル６ａは、複数の地名相互の相対的な位置関係を表すテーブルである。この場合、地名間相対位置関係を表すテーブル６ａは、地名１が、地名２、地名３、および地名４を基準とする位置１（例えば第１象限）、位置４（例えば第４象限）、および位置３（例えば第３象限）にあること示している。同様に、地名２が、地名１、地名３、および地名４を基準とする位置２（例えば第２象限）、位置１（例えば第１象限）、および位置２（例えば第２象限）にあること示している。
【００２９】
ここで、図７を参照して、図５および図６を参照して説明した上記の例におけるテーブルの作成例を具体的に説明する。図７に示すテーブル６ａ１は、貼り付けページの基準となる図５に示す「地名と地名間の位置関係図」７ｂに含まれる３つの地名「Ｕ動物園」７７、「六本木Ｈ」７６、および「赤坂Ｐホテル」７５の相対的な位置関係を表している。テーブル６ａ１の２行目は、「Ｕ動物園」が「赤坂Ｐホテル」を原点とする座標系の第１象限にあり、「六本木Ｈ」を原点とする座標系でも第１象限にあることを意味する。テーブル６ａ１の３行目は、「赤坂Ｐホテル」が、「Ｕ動物園」を原点とする座標系の第３象限にあり、「六本木Ｈ」を原点とする座標系でも第３象限にあることを意味する。そして、テーブル６ａ１の４行目は、「六本木Ｈ」が、「Ｕ動物園」を原点とする座標系の第３象限にあり、「赤坂Ｐホテル」を原点とする座標系では第１象限にあることを意味する。
【００３０】
この場合、図６に示す地名間相対位置関係を表すテーブル６ａ１では、各地名間の相対位置関係を図１０に示すような第１象限〜第４象限の４つの領域を基準とする位置関係として表している。
【００３１】
そして、地名の表示位置の調整手段６は、写真を貼り付け終わったページに対し、写真同士が重なっているかどうかを確認する処理を行う。地名の表示位置の調整手段６はまた、重なりあう写真があれば、生成した地名間の相対位置関係のテーブル６ａ１を参照しながら、テーブル６ａ１に示された各地名間の相対位置関係を維持したままで、重なりあう写真のそれぞれの最寄り地名の位置をずらす処理を行う。例えば、図６の例では、地名「赤坂Ｐホテル」７５を左方向にずらし、地名「六本木Ｈ」７６を右や上にずらす処理を行う。ただし、例えば地名「六本木Ｈ」７６を地名「Ｕ動物園」７７より右側にずらしたり、上側にずらしたりすることは、相対位置関係をくずすことになるので禁止される。同様に、地名「赤坂Ｐホテル」７５を地名「六本木Ｈ」７６の右側にずらすことも禁止される。
【００３２】
ずらし方の例としては、重なり合う写真にそれぞれ最寄りの地名を直線で結び、その直線に沿って地名を互いに離れる方向に所定距離毎、それぞれ移動させる。例えば地名表示位置間の距離の１／１０ずつの移動を行う。そして、このずらされた表示位置の元に、写真をページに貼り付ける手段５によって写真を再度貼り付けさせる。この重なりチェック→地名の位置ずらし→再度貼り付けの処理は、写真の重なりがなくなるまで交互に繰り返し行う。
【００３３】
なお、上記の処理を行っても、重なりを解消できなければ、他の地名をずらして（この例では、地名「Ｕ動物園」７７を右上にずらして）、再度上記処理を行う。それでもなお重なりを解消できなければ、解消不可能と見なし、写真を縮小するかまたは、貼り付ける写真の枚数を減らすかの指示入力を求める提示をする。
【００３４】
図８に、写真をページに貼り付ける手段５と、地名の表示位置の調整手段６とによる地名の位置調整処理のフローチャートを示した。まず地名の表示位置の調整手段６で、ページに貼り付けたすべての写真をチェックしたか否かを確認する（ステップＳ５０１）。すべてのチェックが終了していたら処理を終了する（ステップＳ５０１で判定結果が「はい」の場合）。一方、チェックしていなかったら、チェック対象の写真を更新する（ステップＳ５０２）。次に、他の写真と重なるか否かを確認する（ステップＳ５０３）。他の写真と重なっていない場合、ステップＳ５０１へ戻り、他方、重なっていた場合、重なり合う写真の最寄りの地名が求められる（ステップＳ５０４）。
【００３５】
ステップＳ５０４の次に、重なり合う写真の最寄りの地名を繋ぐ直線と、地名表示位置間の距離が求められる（ステップＳ５０５）。ここで、移動対象となる写真がすでにずらしたことがあるものかどうかを確認する（ステップＳ５０６）。ずらしたことがなかった場合、地名表示位置間の距離の１／１０をずらし量にする（ステップＳ５０７）。すでにずらしたことがあった場合、前回のずらし量に地名表示位置間の距離の１／１０を増分することで新たなずらし量を設定する（ステップＳ５０８）。次に、設定したずらし量で、重なり合う２つの地名を互いに離れる方向にずらす処理を行う（ステップＳ５０９）。
【００３６】
次に相対位置関係を保持しているか否かを確認する（ステップＳ５１０）。相対位置関係を保持していた場合、写真をページに貼り付ける手段５によって写真の再貼り付けを行い（ステップＳ５１１）、その後、ステップＳ５０１からの処理を繰り返して行う。他方、相対位置関係を保持していなかった場合（ステップＳ５１０の判定結果が「いいえ」）、直前のステップＳ５０９での移動処理を元に戻した後、他の地名をずらせるか否かを確認する（ステップＳ５１２）。ここで、他の地名をずらせる場合には、他の地名をずらし（ステップＳ５１３）、再度ステップＳ５１０の確認を行う。一方、他の地名をずらせない場合には（ステップＳ５１２の判定結果が「いいえ」）、写真を縮小するかまたは写真枚数を減らすかを求める提示をユーザーに対して行う（ステップＳ５１４）。ここで、地名の位置調整処理が終了する。
【００３７】
図９に、図６のページ７ｃに対して調整を行った後のページ７ｄを示した。図９のページ７ｄは、図６のページ７ｃに対して、地名「赤坂Ｐホテル」７５と地名「六本木Ｈ」７６の位置を調整したものである。すなわち図６の地名「赤坂Ｐホテル」７５と地名「六本木Ｈ」７６を直線で結び、その直線に沿って、地名「赤坂Ｐホテル」を左下に、地名「六本木Ｈ」を右上にそれぞれずらして、写真の再度貼り付けを行った後のページがページ７ｄである。この場合、ページ７ｄでは、地名「赤坂Ｐホテル」７５ａと地名「六本木Ｈ」７６ａが新たな位置に移動し、写真７３と写真７４の重なりが解消されている。
【００３８】
このように調整されたページは、図１のページ表示／出力手段７によって、表示装置やプリンタといった所望の表示あるいは出力装置に出力される。
【００３９】
以上説明したように本実施の形態は、写真と撮影現場の情報とを写真アルバムに記録するにあたって、見易いレイアウトで作成を支援することができる。本実施の形態では、写真をその撮影場所の最寄りの地名との関連づけに注目し、アルバムのレイアウトに撮影場所を網羅する地名とそれらの相対位置関係図を使い、地名のまわりに写真を貼り付け、そして、地名間の相対位置関係を保持したまま、写真とほかの写真をお互いに重ならいように地名の表示位置を調整する。したがって、本実施の形態で作成されたアルバムは、従来例と比べ、写真とその撮影場所との関連付けが分かりやすく、あわせて、撮影場所間のおよその相対位置関係も自然に記録・表示される効果がある。
【００４０】
なお、本発明の実施の形態は、上記の構成に限られることなく、例えば図１のブロック図において、各手段を分離あるいは統合したり、あるいは通信回線を介して例えば地名情報処理手段４やそのデータベースのみを分散して配置することが可能である。
【００４１】
また、アルバムの各ページには、地名に換えて、撮影場所に最寄りのランドマーク名やランドマークアイコンを表示するようにしてもよい。
【図面の簡単な説明】
【００４２】
【図１】本発明の電子写真アルバム作成支援装置の実施の形態の構成例を示すブロック図。
【図２】図１の同一ページに貼り付ける写真を選択する手段２の処理対象となる電子写真の例を説明するための説明図。
【図３】図１の経緯度範囲を算出する手段３の処理の流れを示すフローチャート。
【図４】図１の地名情報処理手段４内のデータベース４ａの具体例を示す説明図。
【図５】図１の地名情報処理手段４で作成された地名と地名間位置関係図の例を示す説明図。
【図６】図１の写真をページに貼り付ける手段５の処理結果の一例を説明するための説明図。
【図７】図１のテーブル６ａの具体例を示す説明図。
【図８】図１の写真をページに貼り付ける手段５および地名の表示位置の調整手段６の処理の流れを示すフローチャート。
【図９】図１の写真をページに貼り付ける手段５および地名の表示位置の調整手段６の処理結果の一例を説明するための説明図。
【図１０】図１の地名の表示位置の調整手段６が作成した地名間相対位置関係を表すテーブル６ａの内容を説明するための説明図。
【符号の説明】
【００４３】
１  経緯度情報を写真に記録する手段、２  同一ページに貼り付ける写真を選択する手段、３  経緯度範囲を算出する手段、４  地名情報処理手段、５  写真をページに貼り付ける手段、６  地名の表示位置の調整手段、７  ページ表示／出力手段
【図１】
2005085124.tif 000003
【図２】
2005085124.tif 000004
【図３】
2005085124.tif 000005
【図４】
2005085124.tif 000006
【図５】
2005085124.tif 000007
【図６】
2005085124.tif 000008
【図７】
2005085124.tif 000009
【図８】
2005085124.tif 000010
【図９】
2005085124.tif 000011
【図１０】
2005085124.tif 000012